(57)【要約】【課題】餌収納容器等の餌載置部の水洗いを容易行うことができ、メンテナンス性を向上させた動物撃退装置を提供すること。【解決手段】第１の導電性シート３と、少なくとも一部が導電性材料で形成された餌載置部４と、第１の導電性シート３及び餌載置部４に電気的に接続される衝撃電圧発生装置１とを備えた動物撃退装置１００おいて、衝撃電圧発生装置１の一方の出力端子１ｂを導電板１０に接続し、この導電板１０の上に餌載置部４を着脱可能に載置する。【選択図】図１
2006136253.tif 000002
【特許請求の範囲】
【請求項１】
第１の導電性シートと、少なくとも一部が導電性材料で形成された餌載置部と、第１の導電性シート及び餌載置部に電気的に接続される衝撃電圧発生装置とを備え、餌載置部が着脱可能である動物撃退装置。
【請求項２】
衝撃電圧発生装置の一方の出力端子を導電性部材に接続し、この導電性部材の上に餌載置部を着脱可能に載置して餌載置部を衝撃電圧発生装置と電気的に接続するようにした請求項１に動物撃退装置。
【請求項３】
餌載置部に水抜き穴が設けられている請求項１又は２に記載の動物撃退装置。
【請求項４】
餌載置部が、絶縁性材料で凹状に形成された餌収納容器と、餌収納容器の内面に配置された第２の導電性シートとを備え、第１及び第２の導電性シートを衝撃電圧発生装置と電気的に接続するようにした請求項１〜３のいずれかに記載の動物撃退装置。
【請求項５】
餌載置部の全部が導電性材料で形成されている請求項１〜３のいずれかに記載の動物撃退装置。
【請求項６】
餌載置部が絶縁性材料で形成された収納凹部内に配置され、餌載置部の高さが収納凹部の外壁部の高さよりも低く形成されている請求項５に記載の動物撃退装置。
【発明の詳細な説明】
【技術分野】
【０００１】
本発明は、屋外を徘徊し、糞尿を放出する等の各種の害を及ぼす犬猫や野生の動物等を、電撃により撃退する動物撃退装置に関するものである。
【背景技術】
【０００２】
屋外を徘徊する犬猫等は、庭先などに糞尿を撒き散らし、また、花壇や家庭菜園、ゴミ集積場等をほじくり返したりする厄介者である。また、野生の動物等は農地に出没し、農作物を荒らしている。
【０００３】
そのため、従来より、各種の動物撃退装置が提案されており、特許文献１には、電撃を利用した動物撃退装置が提案されている。
【０００４】
この特許文献１の動物撃退装置は、対向電極からなる撃退用電極部と、この対向電極に撃退用電圧を供給する発振回路とを有し、対向電極に例えば犬猫等が乗ると、発振回路から供給される撃退用電圧によって感電し、その電撃により犬猫等を撃退するようにしたものである。
【０００５】
しかし、この動物撃退装置では、特許文献１の段落００２１に記載されているように対向電極部のプラス極とマイナス極の間隔が２ｍｍ程度であるため雨が降っただけでショートしてしまい現実的でない。
【０００６】
また、犬猫等の動物が直接電撃を受ける部位は基本的には足裏、又は、毛深く覆われた背中、腹等であり、足裏は皮膚が厚く電撃に鈍感である。そして、背中、腹等の毛は電流を通しにくい。したがって、足裏の周囲、又は、背中、腹の周囲に電圧を印加したとしても、電撃が加わりにくい。
【０００７】
さらに、この動物撃退装置は、撃退電極部上を撮像手段で撮像し、この撮像手段の出力データから撃退電極部上の動物を動物検出手段により検出し、所定の動物の場合のみ発振回路からの撃退用電圧を対向電極に印加し、所定の動物以外の場合は発振回路からの撃退用電圧を対向電極に印加しないようにして、人への感電防止を図っているが、実際にこれを実現化すると著しく高価な装置になってしまい、犬猫等を追い払うだけにしては誠に実際的でない。
【０００８】
このように、特許文献１の動物撃退装置では、対向電極に雨が降ったり、他の物質が接触したりするだけでショートし、機能が著しく低下して犬猫等に対して電撃を有効に与えることができないという問題があった。
【０００９】
さらに、実現化するには高価すぎるという問題点があり、また、電撃を有効に与えるためには撃退用電圧としての発振回路からの発振出力の電圧を高くしなければならず、そうすると、消費電力が大きくなるという問題があった。
【００１０】
そこで、本願出願人は、特願２００４−２３２５３８において、新たな動物撃退装置を提案した。この動物撃退装置は、地面に敷設する第１の導電性シートと、絶縁性材料で凹状に形成された餌収納容器と、餌収納容器の内面に配置された第２の導電性シートと、第１及び第２の導電性シートに導電線によって連結された衝撃電圧発生装置を備えたものである。これによって、簡単な構造となり、そして安価で、しかも、電撃に対する感受性の高い動物の舌や口や鼻の周囲に確実に電撃を与えることができるようになり、よって少ない消費電力で有効な電撃を動物に与えることができ、動物が電撃をよく学習し撃退効果を高めることができるようになった。
【００１１】
ところで、この動物撃退装置の使用後は、餌収納容器内に餌が残っていたり、餌収納容器内が餌等で汚損したりする場合があり、このような場合、餌収納容器を水洗いする必要がある。しかし、上記の動物撃退装置では、餌収納容器内面の第２の導電性シートと衝撃電圧発生装置が導電線によって連結されているため、餌収納容器を取り外すことが困難であり、水洗いに不便を生じていた。
【００１２】
このように、本願出願人が先に提案した動物撃退装置には、そのメンテナンス性に問題が残されていた。
【特許文献１】特開２００４−１４１１１９号公報
【発明の開示】
【発明が解決しようとする課題】
【００１３】
本発明が解決しようとする課題は、餌収納容器等の餌載置部の水洗いを容易に行うことができ、メンテナンス性を向上させた動物撃退装置を提供することにある。
【課題を解決するための手段】
【００１４】
本発明は、使用時は衝撃電圧発生装置と電気的に接続される餌収納容器等の餌載置部を着脱可能とすることによって上記課題を解決した。
【００１５】
すなわち、本発明の動物撃退装置は、第１の導電性シートと、少なくとも一部が導電性材料で形成された餌載置部と、第１の導電性シート及び餌載置部に電気的に接続される衝撃電圧発生装置とを備え、餌載置部が着脱可能であることを特徴とする。
【００１６】
餌載置部を着脱可能にする好適な構成としては、衝撃電圧発生装置の一方の出力端子を導電性部材に接続し、この導電性部材の上に餌載置部を着脱可能に載置する。そして、載置時には餌載置部が導電性部材を介して衝撃電圧発生装置の一方の出力端子と電気的に接続されるようにする。このような構成とすることで、餌載置部の着脱が容易となり、かつ、餌載置部を導電性部材の上に載置すれば直ちに動物撃退装置として機能するようになる。
【００１７】
また、本発明では、餌載置部を水洗い後の水切り等を容易にするため、餌載置部に水抜き穴を設けることが好ましい
【００１８】
本発明において、餌載置部は、少なくとも一部が導電性材料で形成され、衝撃電圧発生装置と電気的に接続されるものであれば良く、例えば、絶縁性材料で凹状に形成された餌収納容器と、餌収納容器の内面に配置された第２の導電性シートとから構成し、第２の導電性シートを衝撃電圧発生装置と電気的に接続するようにしても良い。また、餌載置部の全部を導電性材料で形成しても良い。餌載置部の全部を導電性材料で形成した場合、餌載置部は絶縁性材料で形成された収納凹部内に配置し、餌載置部の高さは収納凹部の外壁部の高さよりも低く形成して、収納凹部の外壁部の上端が餌載置部の上端より上方に突出するようにすることが好ましい。
【００１９】
このような構成において、例えば犬猫等の身体の一部が第１の導電性シートに接触し、この犬猫等の他の部位が餌載置部に接触すると、衝撃電圧発生装置からの衝撃電流が流れ、犬猫等に電撃が与えられる。ここで、第１の導電性シートと餌載置部とは、対象となる犬猫等の体長にほぼ匹敵する位の距離をあけて配置するとこが好ましい。これによって、犬猫等の舌や口や鼻の周囲が餌載置部に、より接触しやくなる。すなわち、犬猫等の舌や口や鼻の周囲は、犬猫等の身体で最も電撃を感ずる部位であるので、犬猫等が電撃をよく学習し撃退効果を高めることができる。また、第１の導電性シートと餌載置部とを犬猫等の体長にほぼ匹敵する位の距離をあけて配置することで、雨などが降ってもショートしにくくなる。
【発明の効果】
【００２０】
本発明によれば、餌載置部が着脱可能であるので、使用後に餌載置部を取り外して容易に水洗いすることができ、メンテナンス性が向上する。
【発明を実施するための最良の形態】
【００２１】
以下、本発明の実施の形態を図面に示す実施例に基づき説明する。
【実施例１】
【００２２】
図１は、本発明に係る動物撃退装置の一実施例を示し、（ａ）は分解状態での概略断面図、（ｂ）は組立状態での概略断面図である。同図に示す動物撃退装置１００は猫用の撃退装置である。
【００２３】
図１において、動物撃退装置１００は、衝撃電圧発生装置１と、電源としての電池２と、第１の導電性シート３と、餌載置部４と、餌５とを主要な構成とする。
【００２４】
衝撃電圧発生装置１は、電池２から供給される直流電圧を作動電源として、出力端子１ａ，１ｂ間にパルス状の衝撃電圧を一定の周期で発生させる。衝撃電圧発生装置１は、絶縁性材料で成型された収納ボックス６内に収納され、収納ボックス６の外面には衝撃電圧発生装置１をオン・オフするスイッチ７と、衝撃電圧発生装置１が衝撃電圧を発生させるときに点灯する出力ランプ８が設けられている。
【００２５】
第１の導電性シート３は、衝撃電圧発生装置１のマイナス側の出力端子１ａに導電線９を介して接続される。この第１の導電性シート３には、直径１ｍｍ程度の金属線で編まれた網目１５ｍｍ程度の金網等を使用することができる。また、この第１の導電性シート３の材質は導電性であれば良いので、金属板あるいは金属箔を被着させたプラスチック板等も使用できる。
【００２６】
餌載置部４は、絶縁性材料により凹状に成型された餌収納容器４ａと、餌収納容器４ａの内面に配置した第２の導電性シート４ｂとを備え、収納ボックス６の上部に形成された収納凹部６ａ内に着脱可能に収納・載置される。この収納凹部６ａも絶縁性材料で形成される。第２の導電性シート４ｂは、餌収納容器４ａ内面の上端部近傍を除いて配置され、金属製ボルト４ｃによって餌収納容器４ａ内面に取り付けられる。このとき、金属製ボルト４ｃの頭部４ｃ−１は餌収納容器４ａの底面部から下方に突出させる。
【００２７】
第２の導電性シート４ｂとしては、厚さ０．２ｍｍ程度の金属箔等を使用することができ、また、直径０．１ｍｍ程度の金属線で編まれた網目１ｍｍ程度の金属網等も使用できる。また、餌載置部４には、餌収納容器４ａ及び第２の導電性シート４ｂを貫通する水抜き穴４ｄが形成される。餌５は、餌収納容器４ａの内面底面部中央付近の第２の導電性シート４ｂ上に置かれる。
【００２８】
一方、収納ボックス６の上部に形成された収納凹部６ａの底面（収納ボックス６本体の上面）には、導電板１０が金属製ボルト１１によって取り付けられ、導電板１０は、衝撃電圧発生装置１のプラス側の出力端子１ｂと導電線１２及び金属製ボルト１１を介して電気的に接続される。また、収納凹部６ａの下端部には水抜き穴６ｂが形成される。なお、金属製ボルト１１を使用せずに、導電板１０と衝撃電圧発生装置１のプラス側の出力端子１ｂを導電線１２によって直接接続しても良い。
【００２９】
以上の構成において、図１（ｂ）に示すように、餌載置部４を収納ボックス６の収納凹部６ａ内に収納し載置すると、金属製ボルト４ｃの頭部４ｃ−１が導電板１０に接触し、第２の導電性シート４ｂが衝撃電圧発生装置１のプラス側の出力端子１ｂと電気的に接続される。
【００３０】
この状態で、猫が餌収納容器４ａ内の餌５に引き寄せられ、それを食べようとすると、図１（ｂ）に示すように、後足は第１の導電性シート３に乗り、前足は餌収納容器４ａの上端に掛けた状態になる。この状態では、餌収納容器４ａが絶縁性であるので、衝撃電流は猫の体内には流れず猫は電撃を受けない。
【００３１】
その後、猫が餌収納容器４ａ内に頭を突っ込み餌５を食べようとすると、舌や口や鼻の周囲が第２の導電性シート４ｂに接触する。これにより、衝撃電圧発生装置１から衝撃電流が猫の体内に流れ、猫はその舌や口や鼻の周辺に電撃を受ける。
【００３２】
このように、本発明によれば、電撃に対する感受性の高い犬猫等の舌や口や鼻の周辺に確実に電撃を与えることができる。そして、電撃を学習した犬猫等は、当分の間又は永遠にその場所に近寄らなくなる。
【００３３】
さらに、本発明では、餌載置部４を収納凹部６ａ内に着脱可能に収納・載置しているので、餌載置部４を水洗いする必要がある場合は、餌載置部４を収納凹部６ａから取り出して容易に水洗いすることができる。また、本実施例では、餌載置部４に水抜き穴４ｄを形成しているので、水洗い後の水切りが容易であり、使用時に餌載置部４内に溜まった水も外部へ排出できる。加えて、餌載置部４を収納する収納凹部６ａにも水抜き穴６ｂを形成しているので、餌載置部４及び収納凹部６ａ内に溜まった水を確実に外部へ排出できる。
【００３４】
以上の実施例では、第２の導電性シート４ｂを餌収納容器４ａの内面にその上端部近傍を除いて配置したが、第２の導電性シート４ｂを餌収納容器４ａの底面部にのみ配置しても良いし、餌収納容器４ａの内面全面に配置しても良い。
【００３５】
また、この実施例では、第２の導電性シート４ｂを餌収納容器４ａの内面に取り付けるための手段として金属製ボルト４ｃを使用したが、これに限定されず、金属製係止ピン等の導電性を有する係止部材であれば良い。
【実施例２】
【００３６】
図２は、本発明に係る動物撃退装置の他の実施例を示す概略断面図である。図２において、図１に示した先の実施例と同一の構成には同一の符号を付し、その説明を省略する。
【００３７】
図１に示した先の実施例では、餌載置部４を餌収納容器４ａと餌収納容器４ａの内面に配置した第２の導電性シート４ｂとから構成したが、本実施例では、餌載置部４を導電性材料で形成した餌収納容器で構成した。
【００３８】
本実施例では、餌載置部４を収納ボックス６の収納凹部６ａ内に収納し載置すると、餌載置部４の底面が金属製ボルト１１の頭部１１ａ若しくは導電板１０に接触し、餌載置部４が衝撃電圧発生装置１のプラス側の出力端子１ｂと電気的に接続される。また、餌載置部４の高さは、収納凹部６ａの外壁部６ａ−１の高さより低く形成されており、外壁部６ａ−１の上端が餌載置部４の上端より上方に突出する。
【００３９】
この構成において、猫が餌載置部４内の餌５に引き寄せられ、それを食べようとすると、図２に示すように、後足は第１の導電性シート３に乗り、前足は収納凹部６ａの外壁部６ａ−１の上端に掛けた状態になる。この状態では、外壁部６ａ−１が絶縁性であるので、衝撃電流は猫の体内には流れず猫は電撃を受けない。
【００４０】
その後、猫が餌載置部４内に頭を突っ込み餌５を食べようとすると、舌や口や鼻の周囲が餌載置部４に接触する。これにより、衝撃電圧発生装置１から衝撃電流が猫の体内に流れ、猫はその舌や口や鼻の周辺に電撃を受ける。
【００４１】
なお、犬猫等が餌を食べようとするとき、前足及び後足を第１の導電性シート３に載せ、頭部を餌載置部４に突っ込み餌５を食べようとする場合もある。この場合も、図１及び図２に示す実施例のように、電撃に対する感受性の高い犬猫等の舌や口や鼻の周辺に確実に電撃を与えることができる。
【００４２】
このように、本実施例においても、電撃に対する感受性の高い犬猫等の舌や口や鼻の周辺に確実に電撃を与えることができる。そして、電撃を学習した犬猫等は、当分の間又は永遠にその場所に近寄らなくなる。また、餌載置部４が着脱可能であるので、使用後は、餌載置部４を収納凹部６ａから取り出して容易に水洗いすることができる。
【産業上の利用可能性】
【００４３】
本発明の動物撃退装置は、花壇や家庭菜園、ゴミ集積場等のあらゆる場所に設置して、屋外を徘徊する犬猫や野生の動物等を撃退するために利用可能である。
【図面の簡単な説明】
【００４４】
【図１】本発明に係る動物撃退装置の一実施例を示し、（ａ）は分解状態での概略断面図、（ｂ）は組立状態での概略断面図である。
【図２】本発明に係る動物撃退装置の他の実施例を示す概略断面図である。
【符号の説明】
【００４５】
１００  動物撃退装置
１  衝撃電圧発生装置
１ａ  マイナス側の出力端子
１ｂ  プラス側の出力端子
２  電池
３  第１の導電性シート
４  餌載置部
４ａ  餌収納容器
４ｂ  第２の導電性シート
４ｃ  金属製ボルト
４ｃ―１  金属製ボルトの頭部
４ｄ  水抜き穴
５  餌
６  収納ボックス
６ａ  収納凹部
６ａ−１  外壁部
６ｂ  水抜き穴
７  スイッチ
８  出力ランプ
９  導電線
１０  導電板
１１  金属製ボルト
１１ａ  金属製ボルトの頭部
１２  導電線
【図１】
2006136253.tif 000003
【図２】
2006136253.tif 000004